(57)【要約】【課題】  輝度ムラ等の発生による画質劣化を確実に防止する。【解決手段】  複数の線状部材１９を、複数の光学シートの間に位置するように、シールドホルダー１０の上下のリブ１０ａ間に所定の間隔で縦方向に配設し、複数の線状部材２０を、複数の光学シートの間に位置するように、シールドホルダー１０の左右のリブ１０ｂ間に所定の間隔で横方向に配設することで、線状部材１９，２０を網目状に形成し、光学シートの撓みを面全体で抑制する。【選択図】  図２
2005208319.tif 000002
【特許請求の範囲】
【請求項１】
ホルダー、光源、拡散手段、光学手段、表示手段を有する液晶表示装置であって、
前記光学手段は前記拡散手段と表示手段との間に配置され、
前記光学手段には線状部材が隣接して配置される
ことを特徴とする液晶表示装置。
【請求項２】
前記線状部材は縦方向、横方向、斜め方向の少なくともいずれか一以上の方向に平行配列されていることを特徴とする請求項１に記載の液晶表示装置。
【請求項３】
前記線状部材は複数からなり、かつ前記光学手段を介して配置され、さらに前記線状部材は縦方向、横方向、斜め方向のいずれか一方に平行配列され、
前記光学手段を介して隣接する前記線状部材の前記平行配列される方向は互いに異なる
ことを特徴とする請求項１に記載の液晶表示装置。
【請求項４】
前記ホルダー、ランプホルダー又は前記表示手段を構成する保持部材のいずれかはリブを有し、
前記線状部材は前記リブによって係止されている
ことを特徴とする請求項１〜３のいずれかに記載の液晶表示装置。
【請求項５】
ホルダー、光源、拡散手段、光学手段、表示手段を有する液晶表示装置であって、
前記光学手段は前記拡散手段と表示手段との間に配置され、
前記光学手段に隣接させて前記光学手段間を離間させるためのセパレータを設けた
ことを特徴とする液晶表示装置。
【請求項６】
前記セパレータは線状部材を有することを特徴とする請求項５に記載の液晶表示装置。
【請求項７】
前記セパレータが有する線状部材は縦方向、横方向、斜め方向の少なくともいずれか一以上の方向に平行配列されていることを特徴とする請求項６に記載の液晶表示装置。
【請求項８】
前記セパレータは複数からなり、かつ前記光学手段を介して配置され、さらに前記セパレータは縦方向、横方向、斜め方向のいずれか一方に平行配列され、
前記光学手段を介して隣接する前記セパレータが有する線状部材の前記平行配列される方向は互いに異なる
ことを特徴とする請求項５に記載の液晶表示装置。
【請求項９】
前記線状部材は導電性を有することを特徴とする請求項１〜８のいずれかに記載の液晶表示装置。
【請求項１０】
前記線状部材は透明性を有することを特徴とする請求項１〜９のいずれかに記載の液晶表示装置。
【発明の詳細な説明】
【技術分野】
【０００１】
本発明は、液晶表示パネルにおける拡散、ＩＴＯ、プリズム、反射偏光等の光学系部材の撓み防止に適した液晶表示装置に関するものである。
【背景技術】
【０００２】
液晶表示装置は、二つの基板の間に注入されている異方性誘電率を有する液晶層を有し、その液晶層に印加する電界の強さを調節することで、基板を透過する光の量を調節し、所望の画像を表示させる液晶パネルを有している。このような液晶表示装置は、軽量化、薄型化、低消費電力化等に優れており、携帯電話、カーナビ、ＰＤＡ、パーソナルコンピュータ、テレビ受信機等の身近な機器に限らず、計測機器、医療機器、産業機器全般等の表示器として採用されている。
【０００３】
図１２及び図１３は、従来の液晶表示装置の一構成例を示すものであり、シールドホルダー１の内部に反射板２と複数の蛍光ランプ等のバックライト３とが収容されている。シールドホルダー１のリブ１ａの内側には、拡散板４、偏光シート等の光学シート５，６が保持されている。光学シート５，６は、シールドホルダー１のリブ１ａの内側に設けられている図示しない保持部材によって吊り下げられるように保持されている。シールドホルダー１のリブ１ａの外側には液晶パネル７の外周部を保持する保持部材８が嵌合されている。
【０００４】
そして、バックライト３からの直接光と反射板２からの反射光とが拡散板４によって拡散され、光学シート５，６を介して液晶パネル７の面全体が均一な明るさとなるように照射される。ここで、光学シートとしては、拡散、ＩＴＯ、プリズム、反射偏光等に関わるものが用いられるが、ここでは説明を簡単にするために、２枚の光学シート５，６を示している。
【０００５】
ところで、近年では、液晶表示装置の大型化が進む傾向にあり、それに伴い光学シート５，６のサイズも大型化されることになる。光学シート５，６のサイズが大型化されると、それ自体の重さやそれぞれの熱膨張の相違等から光学シート５，６に撓みが生じてしまい、最悪な場合は図１２の点線で囲った部分で示すように、光学シート６が液晶パネル７に密着し、図１３のａ，ｂで示すように、輝度ムラ等を生じてしまう。これは、液晶パネル７のガラス基板に設けられている偏光フィルタの熱分布が光学シート６による密着部分と密着していない部分とで異なるためである。
【０００６】
このような光学シート６の撓みを解消するものとして、特許文献１では、導光板と導光板に積層された第１の拡散シートとを、一方の端部のみにて辺に沿って固定するとともに、第１の拡散シートと第１の拡散シートに積層された第２の拡散シートとを、他方の端部のみにて辺に沿って固定することを提案している。これによれば、一方の端部が固定され、他方の端部が無固定の状態に構成されているために、使用時に膨張や収縮等によって拡散シートに伸縮が生じても、他方の端部が無固定であることによりその伸縮を拡散シート自身で吸収、緩和でき、撓みの発生が防止される。
【特許文献１】特開２００３−４３４８１号公報
【発明の開示】
【発明が解決しようとする課題】
【０００７】
ところが、特許文献１のように、一方の端部を固定し、他方の端部を無固定の状態とすることで、固定された一辺と垂直方向のシートの伸縮を吸収、緩和できるが、逆に平行方向のシートの伸縮が抑制されるので、シートに撓みが発生し易くなり、輝度ムラ等の発生により画質劣化を招いてしまう。
【０００８】
解決しようとする問題点は、一方の端部を固定し、他方の端部を無固定の状態とすることで、シートの伸縮を吸収、緩和しようとしても、逆に平行方向のシートの伸縮が抑制されてしまうという点である。
【課題を解決するための手段】
【０００９】
本発明の液晶表示装置は、ホルダー、光源、拡散手段、光学手段、表示手段を有する液晶表示装置であって、前記光学手段は前記拡散手段と表示手段との間に配置され、前記光学手段には線状部材が隣接して配置されることを特徴とする。
また、本発明液晶表示装置は、前記線状部材は縦方向、横方向、斜め方向の少なくともいずれか一以上の方向に平行配列されていることを特徴とする。
また、本発明の液晶表示装置は、前記線状部材は複数からなり、かつ前記光学手段を介して配置され、さらに前記線状部材は縦方向、横方向、斜め方向のいずれか一方に平行配列され、前記光学手段を介して隣接する前記線状部材の前記平行配列される方向は互いに異なることを特徴とする。
また、本発明の液晶表示装置は、前記ホルダー、ランプホルダー又は前記表示手段を構成する保持部材のいずれかはリブを有し、前記線状部材は前記リブによって係止されていることを特徴とする。
また、本発明の液晶表示装置は、ホルダー、光源、拡散手段、光学手段、表示手段を有する液晶表示装置であって、前記光学手段は前記拡散手段と表示手段との間に配置され、前記光学手段に隣接させて前記光学手段間を離間させるためのセパレータを設けたことを特徴とする。
また、本発明の液晶表示装置は、前記セパレータは線状部材を有することを特徴とする。
また、本発明の液晶表示装置は、前記セパレータが有する線状部材は縦方向、横方向、斜め方向の少なくともいずれか一以上の方向に平行配列されていることを特徴とする。
また、本発明の液晶表示装置は、前記セパレータは複数からなり、かつ前記光学手段を介して配置され、さらに前記セパレータは縦方向、横方向、斜め方向のいずれか一方に平行配列され、前記光学手段を介して隣接する前記セパレータが有する線状部材の前記平行配列される方向は互いに異なることを特徴とする。
また、本発明の液晶表示装置は、前記線状部材は導電性を有することを特徴とする。
また、本発明の液晶表示装置は、前記線状部材は透明性を有することを特徴とする。
本発明に係る液晶表示装置においては、拡散手段と表示手段との間に配置される光学手段に、線状部材を隣接して配置するようにしたので、光の通過を妨げることなく、光学手段の撓みを面全体で抑制することができる。
【発明の効果】
【００１０】
本発明の液晶表示装置は、光の通過を妨げることなく、光学手段の撓みを面全体で抑制することができるようにしたので、輝度ムラ等の発生による画質劣化を確実に防止することができる。また、拡散手段と表示手段との間に配置される光学手段に、線状部材を隣接して配置するようにしたので、バックライト等のインバータノイズに代表されるような電磁波ノイズの輻射を低減することが可能となる。
【発明を実施するための最良の形態】
【００１１】
光学シート間に線状部材を所定の間隔で縦方向、横方向又は斜め方向のいずれかに配設し、光学シートの面全体で撓みを抑制するようにした。
【００１２】
（実施形態１）
図１は本発明の液晶表示装置の実施形態１に係る内部構成を示す断面図、図２は図１の線状部材の装着状態を示す正面図である。
【００１３】
図１に示すように、液晶表示装置は、シールドホルダー１０を備えている。シールドホルダー１０の上下にはリブ１０ａが設けられ、左右には複数のリブ１０ｂが設けられている。シールドホルダー１０の内部には、反射板１１、複数の蛍光ランプ等のバックライト１２が収容されている。
【００１４】
ホルダーとしてのシールドホルダー１０の外周部の上下のリブ１０ａの内側には、拡散手段としての拡散板１３、光学手段としての光学シート１４，１５，１６が保持されている。光学シート１４，１５，１６は、シールドホルダー１０の上下のリブ１０ａの内側に設けられている図示しない保持部材によって吊り下げられるように保持されている。光学シート１４，１５，１６としては、拡散、ＩＴＯ、プリズム、反射偏光等に関わるものが用いられる。ここでは説明を簡単にするために、３枚の光学シート１４，１５，１６を示している。
【００１５】
シールドホルダー１０の外周部のリブ１０ａ及びリブ１０ｂの外側には、液晶パネル１７の外周部を保持する保持部材１８が嵌合されている。また、シールドホルダー１０の上下のリブ１０ａには、複数の線状部材１９が掛け渡されている。これらの線状部材１９は、光学シート１４，１５間に位置している。シールドホルダー１０の左右の複数のリブ１０ｂには、複数の線状部材２０が掛け渡されている。これらの線状部材２０は、光学シート１５，１６間に位置している。
【００１６】
ここで、線状部材１９，２０としては、透明樹脂糸や金属ワイヤー等を用いることができる。また、線状部材１９，２０は、光学シート１５，１６間を通過する光が妨げられない程度の太さであればよい。また、透明樹脂糸にあっては、金属ワイヤーと同様に導電性を有するものであってもよい。このように、線状部材１９，２０を導電性とすることで、光学シート１４，１５，１６に滞留する静電気をシールドホルダー１０側に逃すことができ、各光学シート１４，１５，１６同士の静電気による引きつけを防止することができる。
【００１７】
次に、各線状部材１９，２０の装着方法について説明する。
まず、線状部材１９を装着する場合には、図２に示すように、シールドホルダー１０の上下のリブ１０ａ及び左右のリブ１０ｂの間に拡散板１３を装着し、さらに光学シート１４を、シールドホルダー１０の上下のリブ１０ａの内側に設けられている図示しない保持部材によって吊り下げられるように保持させる。
【００１８】
次いで、シールドホルダー１０の上側のリブ１０ａに掛け渡した線状部材１９の両端をシールドホルダー１０の下側のリブ１０ａに固定する。ここで、シールドホルダー１０の上側のリブ１０ａに線状部材１９を掛け渡す場合、上側のリブ１０ａに線状部材１９を挿通することができる程度の穴を設け、その穴に線状部材１９を通すようにしてもよい。また、溝や凹部を設け、その溝や凹部に線状部材１９を引っ掛けるようにしてもよい。いずれにしても、上側のリブ１０ａに掛け渡された線状部材１９が上側のリブ１０ａから外れないようにすればよい。
【００１９】
一方、線状部材１９の両端をシールドホルダー１０の下側のリブ１０ａに固定する場合には、その下側のリブ１０ａに線状部材１９を挿通することができる程度の穴を設け、その穴に挿通した線状部材１９の両端に抜け止め加工を施す。また、穴に限らず、溝や凹部であってもよい。いずれにしても、線状部材１９の両端が下側のリブ１０ａから外れないようにすればよい。
【００２０】
以上のようにして、他の線状部材１９も同様に上側のリブ１０ａに掛け渡した後、その両端をシールドホルダー１０の下側のリブ１０ａに固定する。ここで、各線状部材１９の配設間隔は、必ずしも等間隔である必要はないが、線状部材１９同士が近づきすぎるとバックライト１２からの光の通過の妨げとなるおそれがあるので、ある程度の間隔を持たせるようにすればよい。なお、ここでは、シールドホルダー１０の上側のリブ１０ａに掛け渡した線状部材１９の両端をその下側のリブ１０ａに固定しているが、これに限らず、シールドホルダー１０の下側のリブ１０ａに掛け渡した線状部材１９の両端をその上側のリブ１０ａに固定してもよい。
【００２１】
次いで、光学シート１５を、シールドホルダー１０の上下のリブ１０ａの内側に設けられている図示しない保持部材によって吊り下げられるように保持させた後、線状部材２０を装着する。線状部材２０を装着する場合には、シールドホルダー１０の左側のリブ１０ｂに掛け渡した線状部材２０の両端をシールドホルダー１０の右側のリブ１０ｂに固定する。ここで、シールドホルダー１０の左側のリブ１０ｂに線状部材２０を掛け渡す場合、左側のリブ１０ｂに線状部材２０を挿通することができる程度の穴を設け、その穴に線状部材２０を通すようにしてもよい。また、溝や凹部を設け、その溝や凹部に線状部材２０を引っ掛けるようにしてもよい。いずれにしても、左側のリブ１０ｂに掛け渡された線状部材２０が左側のリブ１０ｂから外れないようにすればよい。
【００２２】
一方、線状部材２０の両端をシールドホルダー１０の右側のリブ１０ｂに固定する場合には、その右側のリブ１０ｂに線状部材２０を挿通することができる程度の穴を設け、その穴に挿通した線状部材２０の両端に抜け止め加工を施す。また、穴に限らず、溝や凹部であってもよい。いずれにしても、線状部材２０の両端が右側のリブ１０ｂから外れないようにすればよい。
【００２３】
以上のようにして、他の線状部材２０も同様に左側のリブ１０ｂに掛け渡した後、その両端をシールドホルダー１０の右側のリブ１０ｂに固定する。ここで、各線状部材２０の配設間隔は、必ずしも等間隔である必要はないが、線状部材２０同士が近づきすぎるとバックライト１２からの光の通過の妨げとなるおそれがあるので、ある程度の間隔を持たせるようにすればよい。
【００２４】
ここで、複数の線状部材１９は、シールドホルダー１０の上下のリブ１０ａ間に所定の間隔で縦方向に配設され、複数の線状部材２０は、シールドホルダー１０の左右のリブ１０ｂ間に所定の間隔で横方向に配設されるため、各線状部材１９と各線状部材２０とが網目状に形成されることになる。これにより、各線状部材１９，２０同士が線方向で重なり合うことがないため、バックライト１２からの光の通過が妨げられない。
【００２５】
また、複数の線状部材１９は光学シート１４，１５間に配設されるため、光学シート１４，１５の撓みが面全体で抑制される。また、複数の線状部材２０は、光学シート１５，１６間に配設されるため、光学シート１５，１６の撓みが面全体で抑制される。
【００２６】
これらの線状部材２０を配設した後、光学シート１６を、シールドホルダー１０の上下のリブ１０ａの内側に設けられている図示しない保持部材によって吊り下げられるように保持させ、さらに液晶パネル１７の外周部を保持する保持部材１８を、シールドホルダー１０のリブ１０ａ及びリブ１０ｂの外側に装着することで、各線状部材１９，２０の配設が完了する。
【００２７】
このように、実施形態１では、複数の線状部材１９を、光学シート１４，１５間に位置するように、シールドホルダー１０の上下のリブ１０ａ間に所定の間隔で縦方向に配設し、複数の線状部材２０を、光学シート１５，１６間に位置するように、シールドホルダー１０の左右のリブ１０ｂ間に所定の間隔で横方向に配設したので、光学シート１４，１５，１６の撓みを面全体で抑制することができ、輝度ムラ等の発生による画質劣化を確実に防止することができる。
【００２８】
また、各線状部材１９と各線状部材２０とを網目状になるように配設したので、各線状部材１９，２０同士が線方向で重なり合うことがなく、バックライト１２からの光の通過が妨げられないようにすることができる。
【００２９】
また、各線状部材１９と各線状部材２０とを網目状になるように配設したので、バックライト１２等のインバータノイズに代表されるような電磁波ノイズの輻射を低減することが可能となる。
【００３０】
また、各線状部材１９，２０を導電性とすることで、光学シート１４，１５，１６に滞留する静電気をシールドホルダー１０側に逃すことができ、各光学シート１４，１５，１６同士の静電気による引きつけを防止することができる。
【００３１】
なお、実施形態１では、複数の線状部材１９を、シールドホルダー１０の上下のリブ１０ａ間に所定の間隔で縦方向に配設し、複数の線状部材２０を、シールドホルダー１０の左右のリブ１０ｂ間に所定の間隔で横方向に配設した場合について説明したが、この例に限らず、各線状部材１９を横方向に配設し、各線状部材２０を縦方向に配設してもよい。
（実施形態２）
図３は本発明の液晶表示装置の実施形態２に係る内部構成を示す断面図、図４は図３の線状部材の装着状態を示す正面図である。なお、以下の説明において図１及び図２と共通する部分には同一符号を付し重複する説明を省略する。
【００３２】
図３に示すように、実施形態２では、図１及び図２のシールドホルダー１０に代えてランプホルダー３０に上記の複数の線状部材１９，２０を配設している。
【００３３】
次に、各線状部材１９，２０の装着方法について説明する。
まず、線状部材１９を装着する場合には、図４に示すように、ホルダーとしてのランプホルダー３０の外周部の上下のリブ３０ａ及び左右のリブ３０ｂの間に拡散板１３を装着し、さらに光学シート１４を、ランプホルダー３０の上下のリブ３０ａの内側に設けられている図示しない保持部材によって吊り下げられるように保持させる。
【００３４】
次いで、ランプホルダー３０の上側のリブ３０ａに掛け渡した線状部材１９の両端を、上記同様にしてランプホルダー３０の下側のリブ３０ａに固定する。ランプホルダー３０の上側のリブ３０ａに線状部材１９を掛け渡す場合、上記同様に、上側のリブ３０ａに線状部材１９を挿通することができる程度の穴、溝又は凹部を設け、そのいずれかに線状部材１９を引っ掛けるようにしてもよい。
【００３５】
また、線状部材１９の両端をランプホルダー３０の下側のリブ３０ａに固定する場合には、上記同様に、その下側のリブ３０ａに線状部材１９を挿通することができる程度の穴、溝又は凹部を設け、そのいずれかに通した線状部材１９の両端に抜け止め加工を施す。
【００３６】
以上のようにして、他の線状部材１９も同様に上側のリブ３０ａに掛け渡した後、その両端をランプホルダー３０の下側のリブ３０ａに固定する。ここで、ランプホルダー３０の上側のリブ３０ａに掛け渡した線状部材１９の両端をその下側のリブ３０ａに固定しているが、これに限らず、ランプホルダー３０の下側のリブ３０ａに掛け渡した線状部材１９の両端をその上側のリブ３０ａに固定してもよい。
【００３７】
次いで、光学シート１５を、上記同様に、ランプホルダー３０の上下のリブ３０ａの内側に保持させた後、線状部材２０を装着する。線状部材２０を装着する場合には、上記同様に、ランプホルダー３０の左側のリブ３０ｂに掛け渡した線状部材２０の両端をランプホルダー３０の右側のリブ３０ｂに固定する。ランプホルダー３０の左側のリブ３０ｂに線状部材２０を掛け渡す場合、上記同様に、左側のリブ３０ｂに線状部材２０を挿通することができる程度の穴、溝又は凹部を設け、そのいずれかに線状部材２０引っ掛けるようにしてもよい。
【００３８】
また、線状部材２０の両端をランプホルダー３０の右側のリブ３０ｂに固定する場合には、上記同様に、その右側のリブ３０ｂに線状部材２０を挿通することができる程度の穴、溝又は凹部を設け、そのいずれかに通した線状部材２０の両端に抜け止め加工を施す。
【００３９】
以上のようにして、他の線状部材２０も同様に左側のリブ３０ｂに掛け渡した後、その両端をランプホルダー３０の右側のリブ３０ｂに固定する。
【００４０】
ここで、複数の線状部材１９は、ランプホルダー３０の上下のリブ３０ａ間に所定の間隔で縦方向に配設され、複数の線状部材２０は、ランプホルダー３０の左右のリブ３０ｂ間に所定の間隔で横方向に配設されるため、上述したように、各線状部材１９と各線状部材２０とが網目状に形成されることになる。これにより、各線状部材１９，２０同士が線方向で重なり合うことがないため、バックライト１２からの光の通過が妨げられない。
【００４１】
また、各線状部材１９は光学シート１４，１５間に配設されるため、上記同様に、光学シート１４，１５の撓みが面全体で抑制される。また、各線状部材２０は、光学シート１５，１６間に配設されるため、上記同様に、光学シート１５，１６の撓みが面全体で抑制される。
【００４２】
これらの線状部材２０を配設した後、上記同様に、光学シート１６を、ランプホルダー３０の上下のリブ３０ａの内側に設けられている図示しない保持部材によって吊り下げられるように保持させ、さらに液晶パネル１７の外周部を保持する保持部材１８を、ランプホルダー３０のリブ３０ａ及びリブ３０ｂの外側に装着することで、複数の線状部材１９，２０の配設が完了する。
【００４３】
このように、実施形態２では、複数の線状部材１９を、光学シート１４，１５間に位置するように、ランプホルダー３０の上下のリブ３０ａ間に所定の間隔で縦方向に配設し、複数の線状部材２０を、光学シート１５，１６間に位置するように、ランプホルダー３０の左右のリブ３０ｂ間に所定の間隔で横方向に配設したので、上記同様に、光学シート１４，１５，１６の撓みを面全体で抑制することができ、輝度ムラ等の発生による画質劣化を確実に防止することができる。
【００４４】
また、各線状部材１９と各線状部材２０とを網目状になるように配設したので、上記同様に、各線状部材１９，２０同士が線方向で重なり合うことがなく、バックライト１２からの光の通過が妨げられないようにすることができる。
【００４５】
また、上記同様に、複数の線状部材１９，２０を導電性とすることで、光学シート１４，１５，１６に滞留する静電気をランプホルダー３０側に逃すことができ、各光学シート１４，１５，１６同士の静電気による引きつけを防止することができる。
【００４６】
なお、実施形態２では、各線状部材１９を、ランプホルダー３０の上下のリブ３０ａ間に所定の間隔で縦方向に配設し、各線状部材２０を、ランプホルダー３０の左右のリブ３０ｂ間に所定の間隔で横方向に配設した場合について説明したが、この例に限らず、各線状部材１９を横方向に配設し、各線状部材２０を縦方向に配設してもよい。
【００４７】
また、各線状部材１９，２０が網目状になるように、線状部材１９，２０を斜め方向に配設してもよい。
【００４８】
（実施形態３）
図５は本発明の液晶表示装置の実施形態３に係る内部構成を示すものであって図３及び図４の線状部材の装着方法を変えた場合を示す断面図、図６は図５の線状部材の装着状態を示す正面図である。
【００４９】
図５に示すように、実施形態３では、１本の線状部材１９を、上記同様に、光学シート１４，１５間に配置し、１本の線状部材２０を、光学シート１５，１６間に配置している。
【００５０】
次に、線状部材１９，２０の装着方法について説明する。
まず、線状部材１９を装着する場合には、図６に示すように、上述した拡散板１３と光学シート１４とを装着した後、ランプホルダー３０の下側のリブ３０ａのたとえば左端に線状部材１９の一端を固定し、その線状部材１９をランプホルダー３０の上側と下側のリブ３０ａに交互に掛け渡し、さらに線状部材１９の他端を下側のリブ３０ａのたとえば右端に固定する。
【００５１】
ここで、線状部材１９の一端と他端とをランプホルダー３０の下側のリブ３０ａの左端と右端に固定する場合には、上記同様に、その下側のリブ３０ａの左端と右端に線状部材１９を挿通することができる程度の穴、溝又は凹部を設け、そのいずれかに通した線状部材１９の一端と他端に抜け止め加工を施す。
【００５２】
また、線状部材１９をランプホルダー３０の上側と下側のリブ３０ａに交互に掛け渡す場合には、上記同様に、上側と下側のリブ３０ａに線状部材１９を挿通することができる程度の穴、溝又は凹部を設け、そのいずれかに線状部材１９を係止せるようにしてもよい。
【００５３】
次いで、光学シート１５を、上記同様に、ランプホルダー３０の上下のリブ３０ａの内側に保持させた後、線状部材２０を装着する。線状部材２０を装着する場合には、ランプホルダー３０の右側のリブ３０ｂのたとえば上端に、線状部材２０の一端を固定し、その線状部材２０をランプホルダー３０の左右のリブ３０ｂに交互に掛け渡し、さらに線状部材２０の他端をランプホルダー３０の右側のたとえば下端のリブ３０ｂに固定する。
【００５４】
ここで、線状部材２０の一端と他端とをランプホルダー３０の右側のリブ３０ｂの上下端に固定する場合には、上記同様に、その右側のリブ３０ｂの上下端に線状部材２０を挿通することができる程度の穴、溝又は凹部を設け、そのいずれかに通した線状部材２０の一端と他端に抜け止め加工を施す。
【００５５】
また、線状部材２０をランプホルダー３０の左右のリブ３０ｂに交互に掛け渡す場合には、上記同様に、左右のリブ３０ｂに線状部材２０を挿通することができる程度の穴、溝又は凹部を設け、そのいずれかに線状部材２０を係止せるようにしてもよい。
【００５６】
線状部材２０を配設した後、上記同様に、光学シート１６を、ランプホルダー３０の上下のリブ３０ａの内側に設けられている図示しない保持部材によって吊り下げられるように保持させ、さらに液晶パネル１７の外周部を保持する保持部材１８を、ランプホルダー３０のリブ３０ａ及びリブ３０ｂの外側に装着することで、線状部材１９，２０の配設が完了する。
【００５７】
このように、実施形態３では、１本の線状部材１９を、光学シート１４，１５間に位置するように、ランプホルダー３０の上下のリブ３０ａ間に所定の間隔で縦方向に配設し、１本の線状部材２０を、光学シート１５，１６間に位置するように、ランプホルダー３０の左右のリブ３０ｂ間に所定の間隔で横方向に配設したので、上述した作用効果に加え、線状部材１９，２０がそれぞれ１本であるため、線状部材１９，２０の配設作業を簡素化することができる。
【００５８】
（実施形態４）
図７は本発明の液晶表示装置の実施形態４に係る内部構成を示すものであって図５及び図６の線状部材の装着方法を変えた場合を示す断面図、図８は図７の線状部材の装着状態を示す正面図である。
【００５９】
図７に示すように、実施形態４では、線状部材１９を横方向に配設し、線状部材２０を縦方向に配設している。
【００６０】
次に、線状部材１９，２０の装着方法について説明する。
まず、線状部材１９を装着する場合には、図８に示すように、上述した拡散板１３と光学シート１４とを装着した後、ランプホルダー３０の右側のリブ３０ｂのたとえば上端に、線状部材１９の一端を固定し、その線状部材１９をランプホルダー３０の左右のリブ３０ｂに交互に掛け渡し、さらに線状部材１９の他端をランプホルダー３０の右側のたとえば下端のリブ３０ｂに固定する。
【００６１】
ここで、線状部材１９の一端と他端とをランプホルダー３０の右側のリブ３０ｂの上下端に固定する場合には、上記同様に、その右側のリブ３０ｂの上下端に線状部材１９を挿通することができる程度の穴、溝又は凹部を設け、そのいずれかに通した線状部材１９の一端と他端に抜け止め加工を施す。
【００６２】
また、線状部材１９をランプホルダー３０の左右のリブ３０ｂに交互に掛け渡す場合には、上記同様に、左右のリブ３０ｂに線状部材１９を挿通することができる程度の穴、溝又は凹部を設け、そのいずれかに線状部材１９を係止せるようにしてもよい。
【００６３】
次いで、光学シート１５を、上記同様に、ランプホルダー３０の上下のリブ３０ａの内側に保持させた後、線状部材２０を装着する。線状部材２０を装着する場合には、ランプホルダー３０の下側のリブ３０ａのたとえば左端に線状部材２０の一端を固定し、その線状部材２０をランプホルダー３０の上側と下側のリブ３０ａに交互に掛け渡し、さらに線状部材２０の他端を下側のリブ３０ａのたとえば右端に固定する。
【００６４】
ここで、線状部材２０の一端と他端とをランプホルダー３０の下側のリブ３０ａの左端と右端に固定する場合には、上記同様に、その下側のリブ３０ａの左端と右端に線状部材２０を挿通することができる程度の穴、溝又は凹部を設け、そのいずれかに通した線状部材２０の一端と他端に抜け止め加工を施す。
【００６５】
また、線状部材２０をランプホルダー３０の上側と下側のリブ３０ａに交互に掛け渡す場合には、上記同様に、上側と下側のリブ３０ａに線状部材２０を挿通することができる程度の穴、溝又は凹部を設け、そのいずれかに線状部材２０を係止せるようにしてもよい。
【００６６】
線状部材２０を配設した後、上記同様に、光学シート１６を、ランプホルダー３０の上下のリブ３０ａの内側に設けられている図示しない保持部材によって吊り下げられるように保持させ、さらに液晶パネル１７の外周部を保持する保持部材１８を、ランプホルダー３０のリブ３０ａ及びリブ３０ｂの外側に装着することで、線状部材１９，２０の配設が完了する。
【００６７】
このように、実施形態４では、１本の線状部材１９を、光学シート１４，１５間に位置するように、ランプホルダー３０の左右のリブ３０ｂ間に所定の間隔で横方向に配設し、１本の線状部材２０を、光学シート１５，１６間に位置するように、ランプホルダー３０の上下のリブ３０ａ間に所定の間隔で縦方向に配設したので、上述した作用効果に加え、線状部材１９，２０がそれぞれ１本であるため、線状部材１９，２０の配設作業を簡素化することができる。
【００６８】
（実施形態５）
図９は本発明の液晶表示装置の実施形態５に係る内部構成を示す斜視図である。
図９に示すように、実施形態５では、上記の線状部材１９を予めたとえば縦方向に配設したセパレータユニット１９Ａと、上記線状部材２０を予めたとえば横方向に配設したセパレータユニット２０Ａとを備え、セパレータユニット１９Ａを光学シート１４，１５の間に位置させ、セパレータユニット２０Ａを光学シート１５，１６の間に位置させている。ここで、線状部材１９，２０は、図１〜図４で説明したように、複数本であってもよいし、図５〜図８で説明したように、１本であってもよい。また、図９では、セパレータユニット１９Ａ，２０Ａを、シールドホルダー１０に装着させる場合について示しているが、これに限らず、上述したランプホルダー３０に装着するようにしてもよい。
【００６９】
ここで、セパレータユニット１９Ａ，２０Ａに線状部材１９，２０を配設する場合には、上述したように、セパレータユニット１９Ａ，２０Ａに穴、溝、凹部等を設け、それらに固定又は係止させることで、セパレータユニット１９Ａ，２０Ａから線状部材１９，２０が外れないようにしておけばよい。
【００７０】
なお、図９では、説明の都合上、上記の光学シート１４の図示を省略している。また、線状部材１９は、縦方向に限らず、横方向に配設してもよく、この場合には線状部材２０を縦方向に配設すればよい。いずれにしても、線状部材１９と線状部材２０とが網目状に形成されるようにすればよい。
【００７１】
このような構成では、まず線状部材１９を予めたとえば縦方向に配設したセパレータユニット１９Ａと、線状部材２０を予めたとえば横方向に配設したセパレータユニット２０Ａとを用意する。
【００７２】
次いで、上述した拡散板１３と図示しない光学シート１４とを装着した後、線状部材１９をたとえば縦方向に配設したセパレータユニット１９Ａを、シールドホルダー１０のリブ１０ａ及びリブ１０ｂの内側に嵌合して固定する。セパレータユニット１９Ａの固定に際しては、接着剤を用いての接着固定としてもよく、ビスによるビス止めであってもよい。
【００７３】
セパレータユニット１９Ａを固定した後、光学シート１５を上述したように、シールドホルダー１０の上下のリブ１０ａの内側に、吊り下げられるように保持し、さらに線状部材２０をたとえば横方向に配設したセパレータユニット２０Ａを、シールドホルダー１０のリブ１０ａ及びリブ１０ｂの内側に嵌合して固定する。セパレータユニット２０Ａの固定に際しては、上記同様に、接着剤を用いての接着固定としてもよく、ビスによるビス止めであってもよい。
【００７４】
セパレータユニット２０Ａを固定した後、光学シート１６を上述したように、シールドホルダー１０の上下のリブ１０ａの内側に、吊り下げられるように保持し、さらに液晶パネル１７の外周部を保持する保持部材１８を、シールドホルダー１０のリブ１０ａ及びリブ１０ｂの外側に装着することで、線状部材１９，２０の配設が完了する。
【００７５】
このように、実施形態５では、線状部材１９を予めたとえば縦方向に配設したセパレータユニット１９Ａを光学シート１４，１５間に位置させ、線状部材２０を予めたとえば横方向に配設したセパレータユニット２０Ａを光学シート１５，１６間に位置させるようにしたので、上述した作用効果に加え、線状部材１９，２０のシールドホルダー１０のリブ１０ａ及びリブ１０ｂ間での引き回しによる配設作業が不要となり、線状部材１９，２０の配設作業をさらに簡素化することができる。
【００７６】
（実施形態６）
図１０は図９の液晶表示装置の構成を変えた場合の実施形態６に係る内部構成を示す斜視図、図１１は図１０の液晶表示装置を示す斜視図である。
【００７７】
図１０に示すように、実施形態６では、上述したセパレータユニット１９Ａの前面側（液晶パネル１７側に向けられた面側）に光学シート１５を配設し、同様に、上述したセパレータユニット２０Ａの前面側（液晶パネル１７側に向けられた面側）に光学シート１６を配設するとともに、セパレータユニット１９Ａ，２０Ａの両側部に一体化手段としての嵌合部材４０を装着することで、光学シート１５，１６、セパレータユニット１９Ａ，２０Ａを予めユニット化している。
【００７８】
このような構成では、図１１に示すように、拡散板１３と図示しない光学シート１４とをシールドホルダー１０のリブ１０ａ及びリブ１０ｂの内側に装着した後、嵌合部材４０によってユニット化された光学シート１５，１６、セパレータユニット１９Ａ，２０Ａをシールドホルダー１０のリブ１０ａ及びリブ１０ｂの内側に装着して固定する。この場合、シールドホルダー１０のリブ１０ｂの内側に接着剤を用いて嵌合部材４０を接着固定してもよいし、嵌合部材４０をシールドホルダー１０のリブ１０ｂにビス止めしてもよい。
【００７９】
このように、実施形態６では、嵌合部材４０によって予めユニット化した光学シート１５，１６、セパレータユニット１９Ａ，２０Ａをシールドホルダー１０のリブ１０ａ及びリブ１０ｂの内側に装着するようにしたので、上述した作用効果に加え、光学シート１５，１６のシールドホルダー１０の上下のリブ１０ａの内側に吊り下げられるように保持させる作業が不要となり、線状部材１９，２０の配設作業をさらに簡素化することができる。
【００８０】
なお、実施形態６では、嵌合部材４０によって予めユニット化した光学シート１５，１６、セパレータユニット１９Ａ，２０Ａをシールドホルダー１０のリブ１０ａ及びリブ１０ｂの内側に装着する場合について説明したが、この例に限らず、上述したランプホルダー３０のリブ３０ａ及びリブ３０ｂの内側に装着するようにしてもよい。
【００８１】
また、以上の各実施形態では、両線状部材１９，２０が網目状になるように、線状部材１９，２０をそれぞれ縦方向又は横方向に配設した場合について説明したが、この例に限らず、両線状部材１９，２０が線方向で重ならないように網目状となるように配設されればよく、たとえばそれぞれの線状部材１９，２０を斜め方向に配設してもよい。
【００８２】
また、線状部材１９，２０のいずれか一方を縦方向又は横方向に配設し、他方の線状部材１９，２０を斜め方向に配設した網目状としてもよい。
【００８３】
また、線状部材１９，２０をそれぞれ縦方向又は横方向に配設した場合について説明したが、この例に限らず、両線状部材１９，２０をたとえば縦方向のみ又は横方向のみで配設してもよい。この場合、両線状部材１９，２０が線方向で互いに必要以上に接近したり又は重なったりしないように所定の間隔を設ければよい。
【００８４】
また、以上の各実施形態では、３枚の光学シート１４，１５，１６の場合であって、光学シート１４，１５間に線状部材１９を配設し、光学シート１５，１６間に線状部材２０を配設した場合について説明したが、たとえば２枚の光学シートがシールドホルダー１０又はランプホルダー３０に装着される場合には線状部材１９又は２０のいずれか一方を光学シート間に縦方向、横方向又は斜め方向のいずれかに配設すればよい。
【００８５】
また、４枚以上の光学シートがシールドホルダー１０又はランプホルダー３０に装着される場合には、それぞれの光学シート間に線状部材１９又は２０を縦方向と横方向に交互に配設し、さらにそれぞれの線状部材１９又は２０が線方向において必要以上に接近したり又は重なったりしないように所定の間隔を設け、網目状に形成されるようにすればよい。
【産業上の利用可能性】
【００８６】
携帯電話、ＰＤＡ、パーソナルコンピュータ、テレビ受信機等の身近な機器に限らず、計測機器、医療機器、産業機器全般等にも適用可能である。
【図面の簡単な説明】
【００８７】
【図１】本発明の液晶表示装置の実施形態１に係る内部構成を示す断面図である。
【図２】図１の線状部材の装着状態を示す正面図である。
【図３】本発明の液晶表示装置の実施形態２に係る内部構成を示す断面図である。
【図４】図３の線状部材の装着状態を示す正面図である。
【図５】本発明の液晶表示装置の実施形態３に係る内部構成を示すものであって図３及び図４の線状部材の装着方法を変えた場合を示す断面図である。
【図６】図５の線状部材の装着状態を示す正面図である。
【図７】本発明の液晶表示装置の実施形態４に係る内部構成を示すものであって図５及び図６の線状部材の装着方法を変えた場合を示す断面図である。
【図８】図７の線状部材の装着状態を示す正面図である。
【図９】本発明の液晶表示装置の実施形態５に係る内部構成を示す斜視図である。
【図１０】図９の液晶表示装置の構成を変えた場合の実施形態６に係る内部構成を示す斜視図である。
【図１１】図１０の液晶表示装置を示す斜視図である。
【図１２】従来の液晶表示装置の内部構成の一例を示す断面図である。
【図１３】図１２の光学シートの撓みによる弊害を説明するための図である。
【符号の説明】
【００８８】
１０ シールドホルダー
１０ａ リブ
１０ｂ リブ
１１ 反射板
１２ バックライト
１３ 拡散板
１４ 光学シート
１５ 光学シート
１６ 光学シート
１７ 液晶パネル
１８ 保持部材
１９ 線状部材
１９Ａ セパレータユニット
２０ 線状部材
２０Ａ セパレータユニット
３０ ランプホルダー
３０ａ リブ
３０ｂ リブ
４０ 嵌合部材
【図１】
2005208319.tif 000003
【図２】
2005208319.tif 000004
【図３】
2005208319.tif 000005
【図４】
2005208319.tif 000006
【図５】
2005208319.tif 000007
【図６】
2005208319.tif 000008
【図７】
2005208319.tif 000009
【図８】
2005208319.tif 000010
【図９】
2005208319.tif 000011
【図１０】
2005208319.tif 000012
【図１１】
2005208319.tif 000013
【図１２】
2005208319.tif 000014
【図１３】
2005208319.tif 000015